(57)【要約】【課題】　多重ドメイン液晶表示装置に生じ易い階調反転および色相変化の軽減を主課題とし、主課題解決のための装置構造が有する副次的な問題点の動作速度低下、輝度低下、フリッカー発生など諸問題の軽減を副課題とする。【解決手段】　この液晶表示装置は行列形態に配列されている複数の画素、行方向に伸びている複数のゲート線、そして列方向に伸びている複数のデータ線を含み、各画素は一つのゲート線に連結されており、少なくとも一つの列の画素は隣接した二つのデータ線に少なくとも一つの行を単位にして交互に連結されている。データ線一つは単位別に極性が反転されたデータ信号を前記画素に供給することによって、少なくとも一つの列の画素には同一な極性のデータ信号が供給される。【選択図】　　　図３
2004054295.tif 000002
【特許請求の範囲】
【請求項１】
　複数の画素列と、
　複数の行方向ゲート線と、
　複数の列方向データ線とを含み、
　前記各画素列には、第１及び第２の側にデータ線が隣接し、
　前記各画素は一つのゲート線に連結されており、
　前記画素は前記第１または前記第２の側のデータ線に少なくとも一つの行を単位にして交互に連結されており、
前記第１及び第２の側のデータ線が前記単位毎に極性が反転されたデータ信号を前記画素に供給するならば、前記各列の全画素に同一極性のデータ信号が供給されることを特徴とする液晶表示装置。
【請求項２】
　前記各画素は二つの小画素を含み、前記小画素の各々は一つのスイッチング素子を備えることを特徴とする、請求項１に記載の液晶表示装置。
【請求項３】
　前記画素のうちの列方向に隣接した二つの画素が容量性結合されていることを特徴とする、請求項１に記載の液晶表示装置。
【請求項４】
　複数の行と複数の列からなる行列形態で配列されている複数の画素、複数のゲート線、そして複数のデータ線を備える液晶表示板組立体を含み、
　前記データ線の本数は、前記列の本数より少なくとも一つ多く、　
　前記複数のデータ線は前記液晶表示板組立体内で分離されており、
　前記各画素は一つのゲート線に連結されていて二つのデータ線に隣接しており、
　前記各列の画素は前記隣接した二つのデータ線に少なくとも一つの行を単位にして交互に連結されていることを特徴とする液晶表示装置。
【請求項５】
　前記画素は二つの小画素を含み、前記小画素の各々は一つのスイッチング素子を備えることを特徴とする、請求項４に記載の液晶表示装置。
【請求項６】
　前記列方向に隣接した二つの画素は容量性結合されていることを特徴とする、請求項４に記載の液晶表示装置。
【請求項７】
　少なくとも二つのデータ線には同一なデータ信号が供給されることを特徴とする、請求項４に記載の液晶表示装置。
【請求項８】
　前記少なくとも二つのデータ線は第１データ線と最後のデータ線であることを特徴とする、請求項７に記載の液晶表示装置。
【請求項９】
　前記データ線に各々連結された複数の出力端子を有し前記第１データ線と前記最後のデータ線に電気的に連結されている第１出力端子を有する第１駆動ICを含む複数のデータ駆動ICをさらに含むことを特徴とする、請求項８に記載の液晶表示装置。
【請求項１０】
　前記データ駆動ICを駆動する回路要素が備えられている印刷回路基板と、
　前記印刷回路基板と前記液晶表示板組立体を連結し、前記データ駆動ICが装着されており、前記第１駆動ICの第１出力端子と連結されている第１信号線及び前記第１データ線に連結されている第２信号線を備える第１及び第２可撓性印刷回路基板をさらに含み、
　前記印刷回路基板には前記第１及び第２信号線と連結された第３信号線が備えられていることを特徴とする、請求項９に記載の液晶表示装置。
【請求項１１】
　映像信号と前記映像信号を制御する制御信号を前記データ駆動ICに供給する信号制御部をさらに含み、
　前記信号制御部は第１列の画素のうち前記第１データ線に連結されている画素に対する映像信号は最後に供給し、
　第１列の画素のうち第２データ線に連結されている画素に対する映像信号は最初に供給することを特徴とする、請求項９に記載の液晶表示装置。
【請求項１２】
　複数の行と複数の列からなる行列形態で配列されている複数の画素、複数のゲート線、そして複数のデータ線を含み、前記各画素は一つのゲート線に連結されていて、二つのデータ線に隣接しており、各列の画素は前記隣接した二つのデータ線に少なくとも一つの行を単位にして交互に連結されている液晶表示装置の駆動方法であって、
　一つの行の画素に対する映像信号を受信する段階と、
　前記受信した映像信号のうち第１映像信号を保存する段階と、
　前記映像信号のうち第２映像信号から順次に出力する段階と、
　前記保存された第１映像信号を出力する段階とを含むことを特徴とする液晶表示装置の駆動方法。
【請求項１３】
　前記映像信号をデータ信号に変換する段階と、
　前記行方向に隣接した画素に印加される前記データ信号の極性は互いに反対であり、前記列方向に隣接した画素に印加されるデータ信号の極性は同一になるように前記データ信号を前記データ線に印加する段階とをさらに含むことを特徴とする、請求項１２に記載の液晶表示装置の駆動方法。
【発明の詳細な説明】
【技術分野】
【０００１】
　本発明は液晶表示装置及びその駆動方法に関する。
【背景技術】
【０００２】
　液晶表示装置（LCD）は、電界生成電極と偏光板を有する２枚一対の表示板と、２枚の表示板の間に入っていて電界生成電極により形成された電界が印加される誘電率異方性液晶層を含む。液晶層分子の長軸は、表示板に形成された無電界配向方向と電界方向の力が釣り合う方向に配列しようとする性質があるので、電界強さが変化すれば分子の方向もやはり変化する。液晶表示装置は偏光板を通った特定方向の偏光成分が多い光を液晶層に通過させ液晶分子の配列方向に応じて再偏光させることによって通過光の偏光方向を変える。偏光方向の変化は出力側偏光板によって透過率変化に変換されるので、これを利用して明暗や色を調整し所望の画像を得る。
【０００３】
　液晶表示装置の視野角は狭いが、ねじれ配列されたネマチック液晶を含むTN液晶表示装置は多様な長所のために広く用いられている。しかし、狭い視野角のためモニターやテレビ分野にその範囲を広める上で限界を持っている。
【０００４】
　液晶表示装置の視野角を広げるために多重ドメイン、補償フィルムなど多様な技術が開発されている。特に、WV（wide viewing）フィルムという補償フィルムを適用すれば、左右方向では他の広視野角技術に比べて短所の少ない視野角特性を実現することができる。しかし、上下方向では階調反転問題が依然として残り、ノーマリーブラックモード液晶表示装置を使う時に、階調電圧を上げると増加しなければならない輝度がむしろ減少したり、ノーマリーホワイトモード液晶表示装置では、その明暗が反転するので、特に下側の階調反転が非常に深刻な問題になっている。
【０００５】
　また、多重ドメイン液晶表示装置の場合、正面のガンマ曲線と側面のガンマ曲線が一致しない現象が発生して、通常のTNモード液晶表示装置に比べても左右側面で劣等な視認性を示す。例えば、ドメインを形成するための切開部を備えるPVA（patterned vertically aligned）モード液晶表示装置の場合には、側面に向かうほど全体的に画面が明るく見え、白い側に色相が移動する傾向があり、激しい場合には高い階調間の明暗差がなくなって画面が崩れるように見える場合も発生する。
【発明の開示】
【発明が解決しようとする課題】
【０００６】
　多重ドメイン液晶表示装置に生じ易い階調反転および色相変化の軽減を主課題とし、主課題解決のための装置構造が有する副次的な問題点の動作速度低下、輝度低下、フリッカー発生など諸問題の軽減を副課題とする。
【課題を解決するための手段】
【０００７】
　本発明の課題を解決するための一つの液晶表示装置は、一列に配列された複数の画素、複数のゲート線、そして前記画素に隣接した第１及び第２データ線を含む。前記各画素は一つのゲート線に連結されており、前記画素は前記第１及び第２データ線に少なくとも一つの行を単位にして交互に連結されており、前記第１及び第２データ線は少なくとも一つの行を単位にして極性が反転されたデータ信号を前記画素に供給することによって、前記画素に同一な極性のデータ信号が供給される。
【０００８】
　本発明の課題を解決するための他の液晶表示装置は、複数の行と複数の列からなる行列形態で配列されている複数の画素、複数のゲート線、そして複数のデータ線を備える液晶表示板組立体を含む。前記データ線の本数は前記列の本数より少なくとも一つ多く、前記複数のデータ線は前記液晶表示板組立体内で分離されており、前記各画素は一つのゲート線に連結されていて、二つのデータ線に隣接しており、前記各列の画素は前記隣接した二つのデータ線に少なくとも一つの行を単位にして交互に連結されている。
【０００９】
　画素は二つの小画素を含み、前記小画素の各々は一つのスイッチング素子を備えるのが好ましい。列方向に隣接した二つの画素は容量性結合されている。また、少なくとも二つのデータ線には同一のデータ信号が供給され、少なくとも二つのデータ線は第１データ線と最後のデータ線であるのが好ましい。
【００１０】
　本発明の一つの実施例による液晶表示装置は、前記データ線に各々連結された複数の出力端子を有し、前記第１データ線と前記最後のデータ線に電気的に連結されている第１出力端子を有する第１駆動ICを含む複数のデータ駆動ICをさらに含む。
【００１１】
　本発明の一つの実施例による液晶表示装置は、前記複数のデータ駆動ICを駆動する回路要素が備えられている印刷回路基板、そして前記印刷回路基板と前記液晶表示板組立体を連結し、前記データ駆動ICが各々装着されており、前記第１駆動ICの第１出力端子と連結されている第１信号線及び前記第１データ線に連結されている第２信号線を備える第１及び第２可撓性印刷回路基板をさらに含む。前記印刷回路基板には前記第１及び第２信号線と連結された第３信号線が備えられている。
【００１２】
　本発明の一つの実施例による液晶表示装置は、映像信号と前記映像信号を制御する制御信号を前記データ駆動ICに供給する信号制御部をさらに含む。この信号制御部は第１列の画素のうち前記第１データ線に連結されている画素に対する映像信号は一番最後のに供給し、第１列の画素のうち第２データ線に連結されている画素に対する映像信号は一番最初に供給するのが良い。
【００１３】
　本発明の課題を解決するための液晶表示装置の駆動方法は、複数の行と複数の列からなる行列形態で配列されている複数の画素、複数のゲート線、そして複数のデータ線を含み、前記各画素は一つのゲート線に連結されていて、二つのデータ線に隣接しており、各列の画素は前記隣接した二つのデータ線に少なくとも一つの行を単位にして交互に連結されている液晶表示装置の駆動方法であって、一つの行の画素に対する映像信号を受信する段階、前記受信した映像信号のうちの第１映像信号を保存する段階、前記映像信号のうちの第２映像信号から順次に出力する段階、そして前記保存された第１映像信号を出力する段階を含む。
【００１４】
　このような駆動方法は前記映像信号をデータ信号に変換する段階、そして前記行方向に隣接した画素に印加される前記データ信号の極性は互いに反対であり、前記列方向に隣接した画素に印加されるデータ信号の極性は同一になるように前記データ信号を前記データ線に印加する段階をさらに含むことができる。
【発明の効果】
【００１５】
　本発明により、画素を二つの小画素に分けて一つの画素当り二つのスイッチング素子と二つの液晶蓄電器を形成し、結合蓄電器を使用して縦に隣接する画素を容量性結合した液晶表示装置をドット反転方式で駆動すれば、下側から見る時の階調反転、色相変化を軽減できて前方からの視認性を改善できる。また、本発明に係る液晶表示装置に用いる液晶表示板の画素には、コラム反転方式のデータ線を通じて信号電圧が印加されるが、各画素にはスイッチ操作により、結果的にドット反転方式で電圧を印加できる。更に、スイッチ操作により、各データ線の信号極性をフレーム内不変にできるので、ドット反転方式の画面であっても、データ線の実効伝播速度が向上して、表示装置としての動作速度が向上し、信号電圧の充電損失が減少し、従って輝度が増加して視認性が向上し、フリッカー現象も減って画質が改善される。また、スイッチング素子のオフ電流の極性が変わってクロストーク現象が減って画質が改善される。
【発明を実施するための最良の形態】
【００１６】
　添付した図面を参照して本発明の実施例について本発明の属する技術分野における通常の知識を有する者が容易に実施できるように詳細に説明する。しかし、本発明は多様な相異なる形態に実現することができ、ここで説明する実施例に限定されない。
【００１７】
　図面で多様な層及び領域を明確に表現するために厚さを拡大して示した。明細書全体にかけて類似な部分に対しては同一な図面符号を付けた。層、膜、領域、板などの部分が他の部分の"上に"あるという時、これは他の部分"直上に"ある場合だけでなく、その中間に他の部分がある場合も含む。反対に、ある部分が他の部分の"直上に"あるという時には中間に他の部分がないことを意味する。
【００１８】
　次に、本発明の実施例による液晶表示装置及びその駆動方法について説明する。
【実施例１】
【００１９】
　図１は本発明の一つの実施例による液晶表示装置のブロック図であり、図２は本発明の一つの実施例による液晶表示装置の等価回路図である。図３は本発明の一つの実施例による液晶表示装置の概略図である。
【００２０】
　図１に示すように、本発明の一つの実施例による液晶表示装置は、液晶表示板組立体３００、ゲート駆動部４００、データ駆動部５００、信号制御部６００、駆動電圧生成部７００及び階調電圧生成部８００を含んでいる。外部から入力される画像信号R、G、Bと制御信号DE、Hsync、Vsync、CLKに応じて信号制御部６００で生成される各種信号が他の各部に送られ最終的には、データ駆動部５００とゲート駆動部４００から液晶表示板組立体３００のデータ線D0、…、Dmとゲート線G1、…、Gnに夫々データ信号とゲート信号として伝達される。階調電圧生成部８００は、データ駆動部５００においてデータ信号を迅速に生成するために使われる階調表示用アナログ電圧群を発生する回路であって、各ブロックの詳細は以下のようである。
【００２１】
　液晶表示板組立体３００は複数のデータ線（D0-Dm）及びゲート線（G1-Gn）と行列形態に配列された複数の画素を含む。
以下では表示信号線（G1-Gn、D0-Dm）という表現を併用し、これはゲート信号（走査信号とも言う）を伝達する複数のゲート線（G1-Gn）とデータ信号を伝達する複数のデータ線（D0-Dm）の総称として用いられる。ゲート線（G1-Gn）は行方向（横）に伸びていて互いに平行配置されており、データ線（D0-Dm）は列方向（縦）に伸びていて互いに平行配置されている。
【００２２】
　表示信号線（G1-Gn、D0-Dm）には、更に、隣接ゲート線（G1-Gn）の中間に位置し、共通電圧（Vcom）を印加される維持電極線１３１が含まれる。
【００２３】
　図２に示すように、各画素（Pi，j）（i=１，２，．．．，n、j=１，２，．．．，m）は二つの小画素（P1i,j、P2i,j）からなり、各小画素（P1i,j、P2i,j）はゲート線（G1-Gn）とデータ線（D０-Dm）に連結されたスイッチング素子（Q1、Q2）とこれに連結された液晶蓄電器（CLC１、CLC２）及び維持蓄電器（CST１、CST２）を含む。
【００２４】
　そして、列方向に隣接した画素は結合蓄電器（Cpp）に容量性結合されているが、ある画素、例えば、画素（Pi,j）の上側小画素（P1i,j）は上側画素（Pi-1、j）の下側小画素（P2i-1,j）と容量性結合されており、下側小画素（P2i,j）は下側画素（Pi+1、j）の上側小画素（P1i+1,j）と容量性結合されている。
【００２５】
　また、一つの画素列の各画素は、列に沿って両側に配置された二つのデータ線に交互に連結されている。例えば、j番目画素列の画素のうち画素（Pi，j）は（j-１）番目データ線（Dj-1）に連結されており、その次の画素（Pi+1、j）はj番目データ線（Dj）に連結されている。反面、一つの画素行の全画素は同一方向（左側または右側）のデータ線に連結されている。例えば、i番目画素行の画素は全て左側データ線に連結されており、（i+１）番目画素行の画素は全て右側データ線に連結されている。
【００２６】
　このような連結によって、本実施例によるデータ線（D0-Dm）の本数は画素列（第１列―第m列）の本数より一つ多い。
【００２７】
　しかし、後述する他の実施例では、一つの画素列の全画素を同一データ線に連結するので、データ線の本数は画素列の本数と同一である。
【００２８】
　再び図２を見ると、上方のスイッチング素子（Q1、Q2）は三端子素子であって、その制御端子はゲート線（Gi）に連結されていて、入力端子はデータ線（Dj-1）に、出力端子は液晶蓄電器（CLC1、CLC2）、維持蓄電器（CST1、CST2）及び結合蓄電器（Cpp）に連結されている。
【００２９】
　液晶蓄電器（CLC1、CLC2）はスイッチング素子（Q1、Q2）と共通電圧（Vcom）の間に、維持蓄電器（CST1、CST2）はスイッチング素子（Q1、Q2）と維持電極線１３１の間に連結されている。
【００３０】
　画素を二つの小画素に分けて一つの画素当り二つのスイッチング素子と二つの液晶蓄電器を形成し、結合蓄電器を使用して隣接する画素を容量性結合すれば、液晶表示装置を下側から見る時でも階調反転が現れることを防止でき、前方からの視認性が改善される。
【００３１】
　次に、図１の駆動電圧生成部７００について記すと、これはスイッチング素子（Q1、Q2）を導通させるゲートオン電圧（Von）とスイッチング素子（Q1、Q2）を遮断させるゲートオフ電圧（Voff）などを生成する。
【００３２】
　また、階調電圧生成部８００は画素の透過率に関連した二組の複数階調電圧を生成する。二組のうちの一組は共通電圧（Vcom）より高い値を有し、他の一組は共通電圧（Vcom）より低い値を有し、夫々正または負の極性と称する。
【００３３】
　ゲート駆動部４００はスキャン駆動部とも言い、液晶表示板組立体３００のゲート線（G1-Gn）に連結されて駆動電圧生成部７００からのゲートオン電圧（Von）とゲートオフ電圧（Voff）の組み合わせからなるゲート信号をゲート線（G1-Gn）に印加する。
【００３４】
　データ駆動部５００はソース駆動部とも言い、組立体３００のデータ線（D0-Dm）に連結されて階調電圧生成部８００からの階調電圧を選択しデータ信号としてデータ線（D0-Dm）に印加する。
【００３５】
　信号制御部６００はゲート駆動部４００、データ駆動部５００及び駆動電圧生成部７００などの動作を制御する。
【実施例２】
【００３６】
　本実施例の信号制御部６００、駆動電圧生成部７００及び階調電圧生成部８００は図３に示す印刷回路基板（PCB）４５０、５５０に備えられ、ゲート駆動部４００及びデータ駆動部５００は各々複数のゲート駆動IC４４０及びデータ駆動IC５４１、５４３、５４２からなって、可撓性印刷回路（FPC）上に配置されている。
【００３７】
　詳細に説明すれば、組立体３００の左側にゲートPCB４５０が備えられており、複数のゲートFPC基板４１０を通じて組立体３００と連結されている。データPCB５５０は組立体３００の上側に位置しており、複数のデータFPC基板５１１、５１３、５１２を通じて組立体３００と連結されている。ゲートFPC基板４１０上にはゲート駆動IC４４０が各々装着されており、データFPC基板５１１、５１３、５１２上にはデータ駆動IC５４１、５４３、５４２が各々装着されている。そしてデータPCB５５０とゲートPCB４５０の間には、また、一つのFPC基板４１２が付着されている。このFPC基板４１２にはデータPCB５５０とゲートPCB４５０の電気的連結のための複数の信号線（図示せず）が形成されている。
【００３８】
　データFPC基板５１１〜５１３には複数の信号線５２１が形成されていてデータ駆動IC５４１〜５４３の出力端子を組立体３００のデータ線（D0-Dm）に連結する。最右側データ線（Dm）と連結された最右側データ駆動IC５４２の最後の出力端子はまた、自身が装着された最右側FPC基板５１２上に形成された信号線５２２a、データPCB５５０上に形成されて右端から左端に伸びる信号線５２２、そして最左側データ駆動IC５４１が装着された最左側FPC基板５１１上に形成された信号線５２２bを通じて最左側データ線、つまり、ダミーデータ線（D0）に連結されている。この時、データPCB５５０の信号線５２２の中間または終端には演算増幅器などのような増幅器（図示せず）が備えられて信号線５２２の配線抵抗などによって最後のデータ駆動IC５４２の最後の出力端子からダミーデータ線（D0）に供給される電圧が降下することを補償できるようにする。
【００３９】
　図３の例とは異なって、ゲート駆動部４００及びデータ駆動部５００は、チップ形態で組立体３００上に装着することもでき、表示信号線（G1-Gn、D0-Dm）及びスイッチング素子（Q1、Q2）と同じ工程で組立体３００上に形成することもできる。また、階調電圧生成部８００は、データPCB５５０とデータ駆動IC５４１、５４２、５４３に各々一部分づつ備えることもできる。
【００４０】
　本発明の他の実施例では、一つの列の画素が全て同一データ線に連結され、ダミーデータ線（D0）も信号線５２２、５２２a、５２２bも不必要である。
【００４１】
　次に、このような液晶表示装置の動作について詳細に説明する。
【００４２】
　信号制御部６００は外部のグラフィック制御機（図示せず）からRGB映像信号（R、G、B）及びその表示を制御する入力制御信号、例えば、垂直同期信号（Vsync）と水平同期信号（Hsync）、メーンクロック（CLK）、データイネーブル信号（DE）などの提供を受ける。信号制御部６００は入力制御信号に基づいてゲート制御信号群（CONT１）及びデータ制御信号群（CONT２）を生成し、映像信号（R、G、B）を液晶表示板組立体３００の動作条件に合うように適切に処理した後、ゲート制御信号群（CONT１）をゲート駆動部４００に出力してデータ制御信号群（CONT２）と処理した映像信号（R’、G’、B’）をデータ駆動部５００に出力する。
【００４３】
　ゲート制御信号群（CONT１）は１フレームの開始を知らせる垂直同期開始信号（STV）、ゲートオン電圧（Von）の出力時期を制御するゲートクロック信号（CPV）及びゲートオン電圧（Von）の幅を限定する出力イネーブル信号（OE）などを含む。データ制御信号群（CONT２）は水平周期の開始を知らせる水平同期開始信号（STH）とデータ線（D0-Dm）に当該データ電圧の印加を命令するロード信号（LOADまたはTP）、共通電圧（Vcom）に対するデータ電圧の極性（以下、“共通電圧に対するデータ電圧の極性”を“データ電圧の極性”と言う）を反転させる反転制御信号（RVS）及びデータクロック信号（HCLK）などを含む。
【００４４】
　データ駆動部５００は信号制御部６００からのデータ制御信号（CONT２）によって一回に排出する分量の映像データ（R’、G’、B’）を順次に受信し、階調電圧生成部８００からの階調電圧のうち各映像データ（R’、G’、B’）に対応する階調電圧を選択することによって、映像データ（R’、G’、B’）を当該データ電圧に変換する。
【００４５】
　ゲート駆動部４００は信号制御部６００からのゲート制御信号によってゲートオン電圧（Von）をゲート線（G1-Gn）に順次印加して各ゲート線（G1-Gn）に連結されたスイッチング素子（Q1、Q2）を導通させる。
【００４６】
　一つのゲート線（Gi）にゲートオン電圧（Von）が印加されてこれに連結されたスイッチング素子（Q１、Q２）が導通している間（この期間を“１H”または“１水平周期”といい、水平同期信号（Hsync）、データイネーブル信号（DE）、ゲートクロック（CPV）の一周期と同一である）、データ駆動部５００は各データ電圧を当該データ線（Dj）に供給する。データ線（Dj）に供給されたデータ信号は導通したスイッチング素子（Q1、Q2）を通じて当該画素に印加される。
【００４７】
　画素に印加されたデータ電圧と共通電圧（Vcom）の差は液晶蓄電器（CLC1、CLC2）の充電電圧、つまり、液晶を配向させる画素電圧である。液晶分子は画素電圧の大きさによってその方向を変え、これにより液晶蓄電器（CLC1、CLC2）を通過した光の偏光状態が決定される。偏光子（図１１aの図面符号１１、２２）は決定された状態の偏光を光の明暗に変換する。
【００４８】
　このような操作を繰り返すことによって、１フレーム内の全てのゲート線（G1-Gn）に対して順次にゲートオン電圧（Von）を印加し全ての画素にデータ信号を印加する。１フレームが終われば次のフレームが始まり、各画素に印加されるデータ電圧の極性が直前フレームでの極性と反対になるように、データ駆動部５００に印加される反転制御信号（RVS）の状態が制御される（"フレーム反転"）。この時、１フレーム内でも反転制御信号（RVS）の制御状況によって一つのデータ線を通って流れるデータ電圧の極性が画素行の行番号によって変わったり（“ライン反転”）、一回に印加されるデータ電圧であっても、画素毎に互いに極性の異なることがある（“ドット反転”）。
【００４９】
　以下、図４乃至図６を参照して、本発明の一つの実施例によって液晶表示板組立体にデータ信号を印加する方法を詳細に説明する。
【００５０】
　図４は本発明の一つの実施例による液晶表示板組立体の画素とデータ線の連結状態を示した図面であり、図５の（a）と（b）は本発明の一つの実施例による液晶表示装置でデータ駆動部が液晶表示板組立体の隣接したデータ線に印加するデータ信号の波形図である。図６は本発明の一つの実施例による液晶表示装置の信号制御部がデータ駆動部に供給する映像信号（R’、G’、B’）の波形図である。
【００５１】
　本実施例の液晶表示装置で同一行の画素は、各画素の左右両側に隣接した二つのデータ線のうち同じ側のデータ線に連結され、隣接した行の画素は反対側データ線に連結されている。特に図４では、奇数行のj番目画素はその右側に位置したj番目データ線（Dj）に、偶数行のj番目画素はその左側に位置した（j-１）番目データ線（Dj-1）に連結されている。
【００５２】
　また回路構成は、行方向に隣接した画素に印加されるデータ信号の極性が互いに反対になるように、列方向に隣接した画素に印加されるデータ信号の極性が同一になるように構成されている。このような極性配列を得るためには図５に示したように隣接した二つのデータ線に印加される二つのデータ信号（dj、dj+1）の極性が互いに反対であり、行が変わるたびに各データ信号（dj、dj+1）の極性を変える必要がある。
【００５３】
　この時、信号制御部６００からデータ駆動部５００に供給する映像信号（R’、G’、B’）は図６のようである。まず、奇数番目行に対しては信号制御部６００が第１列の映像信号（d1-1, d3-1,…）から最後のm番目列の映像信号（d1-m, d3-m,…）をそのまま順次に供給する。しかし、偶数番目行に対しては、第１列の画素が最後のデータ線（Dm）と連結されたダミーデータ線（D0）に連結されているので、信号制御部６００は第２列の映像信号（d2-2, d4-2,…）から開始して最後の列の映像信号（d2-m, d4-m,…）を順次に供給し、次いで一番最後に第１列の映像信号（d2-1, d4-1,…）を供給する。そのために信号制御部６００は第１列の映像信号（d2-1, d4-1,…）を一時保存しては一番最後に出力する。
【００５４】
　しかし、画素とデータ線の連結位置が図４の例と反対である場合、つまり奇数行のj番目画素がその左側に位置した（j-１）番目データ線（Dj-1）に、偶数行のj番目画素がその右側に位置したj番目データ線（Dj）に連結されている場合には、信号制御部６００からデータ駆動部５００に供給する映像信号（R’、G’、B’）の印加方式も変わる。つまり奇数番目行に対しては第２列の映像信号（d1-2, d3-2,…）で開始して最後の列の映像信号（d1-m, d3-m,…）を順次に供給し、次いで一番最後に第１列の映像信号（d1-1, d3-m,…）を供給して、偶数番目行の映像信号は第１列の映像信号（d2-1, d4-1,…）から最後のm番目列の映像信号（d2-m, d4-m,…）をそのまま順次に供給する。
【００５５】
　このようにすれば、液晶表示板組立体３００の画素にはコラム反転方式で電圧が印加されるが、データ線（D0-Dm）にはドット反転方式の電圧を印加すればよいことになる。
【００５６】
　一方、本発明の他の実施例によって一つの画素列の全ての画素が同一データ線に連結されている場合、行方向に隣接した画素に印加されるデータ信号の極性は互いに反対とする。列方向に対しては隣接した画素に印加されるデータ信号の極性を反対にするドット反転方式と極性を同一にするコラム反転方法を取ることができる。
【００５７】
　ドット反転方式の場合には、隣接した二つのデータ線に印加される二つのデータ信号の極性が互いに反対であり、各データ信号は行が変わるたびに極性を変えなければならない。
【００５８】
　一方、コラム反転方式の場合には、隣接した二つのデータ線に印加される二つのデータ信号の極性は互いに反対であるが、一つのデータ線に印加されるデータ信号の極性は全て同一でなければならず、駆動されるゲート線が変化しても当該データ線の信号極性は、同一フレーム内では変化しない。このことは、データ線電圧の変化が少なく、短時間充電でも電圧伝送損失が少ないことを意味する。
【００５９】
　この場合、信号制御部６００からデータ駆動部５００に供給される映像信号の順序を変える必要がない。つまり、全ての行に対して第１列の映像信号（d1-1, d2-1,…）から最後のm番目列の映像信号（d1-m, d2-m,…）をそのまま順次に供給すればよい。
【００６０】
　図４に示した画素とデータ線の連結構造は前記の例と比較する時、次のような長所がある。特に、一つの画素が二つのスイッチング素子を有しながら画素が結合蓄電器に容量性結合されている液晶表示板組立体３００の画素にコラム反転を適用すれば、ドット反転を適用する時より輝度が増加して視認性が向上し、フリッカー現象も減る。また、データ線に対するドット反転はそのまま維持されるので、同一データ線に連結されたスイッチング素子のオフ電流の極性が変わってクロストーク現象が減少する。
【００６１】
　次に、図７乃至図９を参照して本発明の他の実施例によって液晶表示板組立体にデータ信号を印加する方法について詳細に説明する。
【００６２】
　図７は本発明の他の実施例による液晶表示板組立体の画素とデータ線の連結状態を示した図面であり、図８の（a）と（b）は本発明の他の実施例による液晶表示装置でデータ駆動部が液晶表示板組立体の隣接したデータ線に印加するデータ信号の波形図である。図９は本発明の他の実施例による液晶表示装置の信号制御部がデータ駆動部に供給する映像信号（R’、G’、B’）の波形図である。
【００６３】
　本発明の他の実施例による画素とデータ線の連結関係は図４に示した実施例と比較する時、二行おきに画素とデータ線（D0-Dm）の連結位置が変わるという点が相異なる。つまり、直前二行のj番目画素がj番目データ線（Dj）に連結されていれば、次の二行のj番目画素は（j-１）番目データ線（Dj-1）に連結されている。図７に示したように、（４k+１）（k=０、１、２，．．．）番目行と（４k+２）番目行のj番目画素はその右側に位置したj番目データ線（Dj）に連結され、（４k+３）番目行と（４k+４）番目行のj番目画素はその左側に位置したデータ線（Dj-1）に連結されている。
【００６４】
　図７に示したように、極性配列は図４に示したことと同一である。つまり、行方向に隣接した画素に印加されるデータ信号の極性は互いに反対であり、列方向に隣接した画素に印加されるデータ信号の極性は同一である。このような極性配列を得るためには図８に示したように隣接した二つのデータ線に印加される二つのデータ信号（dj、dj+1）の極性は互いに反対であり、各データ信号（dj、dj+1）は二行おきに極性を変えなければならない。
【００６５】
　図９は信号制御部６００からデータ駆動部５００に供給する映像信号（R’、G’、B’）を示している。（４k+１）番目行及び（４k+２）番目行、つまり、第１、第２、第５番目、第６番目などの行に対しては、信号制御部６００が第１列の映像信号（d1-1, d2-1,…）から最後のm番目列の映像信号（d1-m, d2-m,…）をそのまま順次に供給する。その後、（４k+３）番目行及び（４k+４）番目行、つまり、第３、第４番目、第７番目、第８番目などの行に対して信号制御部６００は第２列の映像信号（d3-2, d4-2,…）から開始して最後の列の映像信号（d3-m, d4-m,…）を順次に供給し、一番最後に第１列の映像信号（d3-1, d4-1,…）を引き続き供給する。そのために信号制御部６００は第１列の映像信号（d3-1, d4-1,…）を一時保存しては一番最後に出力する。
【００６６】
　しかし、画素とデータ線の連結位置が図７の例と反対である場合、つまり、（４k+１）番目行と（４k+２）番目行のj番目画素がその左側に位置した（j-１）番目データ線（Dj-１）に、（４k+３）番目行と（４k+４）番目行のj番目画素はその右側に位置したj番目データ線（Dj）に連結されている場合には信号制御部６００からデータ駆動部５００に供給する映像信号（R’、G’、B’）の印加方式も変わる。つまり、（４k+１）番目行及び（４k+２）番目行に対しては、信号制御部６００が第２列の映像信号（d1-2, d2-2,…）から開始して最後の列の映像信号（d1-m, d2-m,…）を順次に供給し、一番最後に第１列の映像信号（d1-1, d2-1,…）を引き続き供給し、（４k+３）番目行から（４k+４）番目行に対して信号制御部６００は第１列の映像信号（d3-1, d4-1,…）から最後のm番目列の映像信号（d3-m, d4-m,…）をそのまま順次に供給する。
【００６７】
　その結果、液晶表示板組立体３００の画素にはコラム反転が適用されるが、データ線（D0-Dm）に対しては２ドット反転が適用される。
【００６８】
　画素とデータ線の連結位置は３個以上の行単位で変えることができる。
【００６９】
　以下、図１０乃至図１１cを参照して本発明の一つの実施例による液晶表示装置用液晶表示板組立体について詳細に説明する。
【００７０】
　図１０は本発明の一つの実施例による液晶表示板組立体の配置図であり、図１１aは図１０に示した液晶表示板組立体をXIB-XIB’線に沿って切って示した断面図であり、図１１bは図１１aの液晶表示板組立体で色フィルター表示板と偏光板を除いた薄膜トランジスタ表示板の断面図である。また、図１１cは図１０の薄膜トランジスタ表示板をXIC-XIC’線に沿って切って示した断面図である。
【００７１】
　図１１aを参照すれば、本実施例による液晶表示板組立体は互いに対向している薄膜トランジスタ表示板１００と色フィルター表示板２００及びその間に注入されている液晶層３からなる。
【００７２】
　図１０乃至図１１cを参照すれば、薄膜トランジスタ表示板１００はガラスなどの透明な絶縁基板１１０上に形成されている複数のゲート線１２１及び複数の維持電極線１３１を含む。各ゲート線１２１は主に行方向に伸びており、複数のゲート電極１２４を暗黙の構造として含む。維持電極線１３１は全体的に行方向に伸びているが、部分的に屈曲をなしている。
【００７３】
　ゲート線１２１と維持電極線１３１上にはゲート絶縁膜１４０が形成されており、ゲート電極１２４上部のゲート絶縁膜１４０上には、互いに分離・独立した、複数の島型半導体１５４が形成されている。島型半導体１５４は非晶質シリコンなどからなり、対になった２個の薄膜トランジスタのために、ソース、チャンネルおよびドレイン対を構成する。島型半導体１５４上にはリン（P）などのN型不純物が高濃度でドーピングされている非晶質シリコンからなる複数の抵抗性接触部材１６３、１６５a、１６５bが形成されている。
【００７４】
　抵抗性接触部材１６３、１６５a、１６５b及びゲート絶縁膜１４０上には、複数のドレーン電極対１７５a、１７５b、複数の結合電極１７７及び暗黙の構造としてソース電極１７３を含んだ複数のデータ線１７１が形成されている。
【００７５】
　各データ線１７１は主に列方向に伸びており、複数のソース電極１７３を暗黙的に含む。ソース電極１７３は、各々ゲート電極１２４に対して一対のドレーン電極１７５a、１７５bから分離されて反対側に位置する。ソース電極１７３は行別に交互にその位置が画素の左側または右側に変わる。したがって、ソース電極１７３の位置はその前の行のソース電極１７３とほとんど左右対称関係を有する。
【００７６】
　一対のドレーン電極１７５a、１７５bの各端は各々ゲート線１２１を中心にして上下に伸びている。
【００７７】
　各結合電極１７７は維持電極線１３１を横切って列方向に伸びている。
【００７８】
　ソース電極１７３とドレーン電極対１７５ａ、ｂの間に位置した島型半導体１５４部分が露出されており、抵抗性接触部材１６３、１６５a、１６５bは半導体１５４とデータ線１７１、ドレーン電極１７５a、１７５bが重複する部分にだけ位置する。
【００７９】
　データ線１７１、ドレーン電極１７５a、１７５bと結合電極１７７及び露出された半導体１５４部分上には保護膜１８０が形成されている。保護膜１８０はドレーン電極１７５a、１７５bの一端を各々露出する複数の接触孔１８３a、１８３bと結合電極１７７の一端を露出する複数の接触孔１８７を有している。保護膜１８０はまた、データ線１７１の一端部分１７９を露出する複数の接触孔１８２を有しており、保護膜１８０とゲート絶縁膜１４０はゲート線１２１の一端部分１２９を露出する複数の接触孔１８１を有している。
【００８０】
　保護膜１８０上には複数対の画素電極１９０a、１９０bと複数の接触補助部材９１、９２が形成されている。画素電極１９０a、１９０bと接触補助部材９１、９２はITOまたはIZOなどの透明な導電物質または反射性導電物質（反射型ＬＣＤの場合）からなる。
【００８１】
　各対の画素電極１９０a、１９０bは接触孔１８３a、１８３bを通じてドレーン電極１７５a、１７５bと各々連結されている。上側画素電極１９０bは接触孔１８７を通じて結合電極１７７と連結されており、下の画素電極１９０aは結合電極１７７と重なっていて、上側画素の下側画素電極１９０aと下側画素の上側画素電極１９０bが容量性結合されている。また、上側画素の下側画素電極１９０aと下側画素の上側画素電極１９０bは維持電極線１３１を隔てて対向しており、各々維持電極線１３１と重複して維持蓄電器を構成する。画素電極１９０a、１９０bが隣接する辺はV字型で折れているが、画素電極１９０aの辺は膨らんで画素電極１９０bの辺は凹んでいる。
【００８２】
　一方、下側画素電極１９０aは上下及び中央の３個の線状切開部１９１、１９２、１９３を有する。中央切開部１９３は画素電極１９０aの列方向中央に位置し、左から右に切り込んで画素電極１９０aを上部と下部の二つの部分に分ける。上部及び下部切開部１９１、１９２は各々画素電極１９０aの上部及び下部に斜線方向に伸びており、中央切開部１９３を中心にして互いにほとんど対称をなしている。
【００８３】
　接触補助部材９１、９２は接触孔１８１、１８２を通じて各々ゲート線１２１及びデータ線１７１の端部１２９、１７９と連結されているが、これらはゲート線１２１及びデータ線１７１の露出された端部１２９、１７９を保護するために備えられたものにすぎず、必須のものではない。
【００８４】
　接触補助部材９１、９２付近を除いた薄膜トランジスタ表示板１００全面に配向膜１１が形成されている。
【００８５】
　一つのゲート電極１２４、一つのソース電極１７３及び一対のドレーン電極１７５a、１７５bは半導体１５４と共に画素電極１９０a、１９０bに各々連結された一対の薄膜トランジスタを構成する。
【００８６】
　図１０及び図１１aを参照すれば、色フィルター表示板２００はガラスなどの透明な絶縁基板２１０上に形成されているブラックマトリックス２２０を含む。ブラックマトリックス２２０は複数の切開窓を定義し、各切開窓には複数の赤、緑、青色フィルター２３０が形成されている。色フィルター２３０上にはオーバーコート膜２５０が形成されており、オーバーコート膜２５０上には共通電極２７０が形成されている。共通電極２７０はITOやIZOなどの透明な導電物質からなり、４個の線状切開部２７１、２７２、２７３、２７４を有する。このうち３個の切開部２７１、２７２、２７３は下側画素電極１９０aと重複する位置に配置されて切開部１９１、１９２、１９３と共に画素電極１９０aを複数の小領域に区画しており、切開部２７４はV字型で上側画素電極１９０bと重なってこれを上下に２分している。色フィルター表示板２００全面には配向膜２１が形成されている。
【００８７】
　この時、切開部１９１、１９２、１９３と切開部２７１、２７２、２７３によって区画された各小領域は実質的に四角形をなし、その二つの長辺はゲート線１２１とデータ線１７１に対して約４５゜をなしている。上側画素電極１９０bの境界と切開部２７４に区画される小領域はV字型であるが、 二つの四角形領域が連結されたことを見れば、これもやはり四角形領域にみることができる。
【００８８】
　二つの基板１１０、２１０の外側には各々偏光板１２、２２が付着されている。この時、これら偏光板１２、２２の偏光軸はゲート線１２１またはデータ線１７１と平行しており、互いに直交するように配置される。
【００８９】
　液晶層３の液晶分子は電界が印加されない状態で二つの表示板１００、２００に対してほとんど垂直に配向されている。
【００９０】
　次に、図１２a乃至図１５cを図１０乃至図１１cと共に参照して、本発明の一つの実施例によって図１０乃至図１１cに示した薄膜トランジスタ表示板を製造する方法について具体的に説明する。
【００９１】
　まず、図１２a乃至図１２cに示したように、ガラス基板１１０上部に複数のゲート線１２１及び複数の維持電極線１３１を形成する。
【００９２】
　次に、図１３a乃至図１３cに示したように、窒化ケイ素からなるゲート絶縁膜１４０、非晶質シリコンからなる半導体層、ドーピングされた非晶質シリコン層を連続して積層し、ドーピングされた非晶質シリコン層及び半導体層を各々複数の島型１６４、１５４にパターニングする。ここで、島型とは各パターンが互いに連結されていない状態をいう。
【００９３】
　次に、図１４a乃至図１４cに示したように、複数の結合電極１７７及び複数のデータ線１７１、複数のドレーン電極対１７５a、１７５bを形成した後、データ線１７１、ドレーン電極対１７５a、１７５b及び結合電極１７７で覆われずに露出したドープ済み非晶質シリコン層１６４部分を除去しその下の島型半導体１５４の一部を露出させる。その後、露出された島型半導体１５４の表面を安定化するために酸素プラズマを実施するのが好ましい。
【００９４】
　次に、図１５a乃至図１５cのように、窒化ケイ素または平坦化特性が優れていて感光性を有する有機物質を基板１１０上部にコーティングしたりPECVDで蒸着して保護膜１８０を形成する。その後、保護膜１８０をゲート絶縁膜１４０と共に写真エッチングして、ゲート線１２１及びデータ線１７１の端部１２９、１７９、ドレーン電極１７５a、１７５b、結合電極１７７を各々露出する複数の接触孔１８１、１８２、１８３a、１８３b、１８７を形成する。
【００９５】
　次に、図１０、図１１b及び図１１cのように、透明導電物質を蒸着し写真エッチングして複数の画素電極１９０a、１９０b及び複数の接触補助部材９１、９２を形成する。画素電極１９０a、１９０bは接触孔１８３a、１８３bを通じてドレーン電極対１７５a、１７５bと連結され、接触孔１８７を通じて結合電極１７７と連結される。接触補助部材９１、９２は各々接触孔１８１、１８２を通じてゲート線１２１及びデータ線１７１の露出された端部１２９、１７９と連結される。
【００９６】
　最後に、表示板１００の全面に配向膜１１を塗布し必要な配向処理をする。
【００９７】
　次に、図１６乃至図１７bを参照して本発明の他の実施例による液晶表示板組立体について詳細に説明する。
【００９８】
　図１６は本発明の他の実施例による液晶表示板組立体の配置図であり、図１７a及び図１７bは各々図１６に示した液晶表示板組立体の薄膜トランジスタ表示板をXVIIA-XVIIA’線とXVIIB-XVIIB’線に沿って切って示した断面図である。
【００９９】
　本実施例の液晶表示板組立体もまた薄膜トランジスタ表示板１００、色フィルター表示板２００及びその間の液晶層３を含む。
【０１００】
　薄膜トランジスタ表示板１００はガラスなどの透明な絶縁基板１１０上に形成された複数のゲート線１２１と複数の維持電極線１３１を含む。各ゲート線１２１は主に行方向に伸びており、ゲート電極１２４をなす複数の突出部を含む。各維持電極線１３１はゲート線１２１とほとんど平行に伸びており、複数の維持線を有することもできる。
【０１０１】
　ゲート線１２１と維持電極線１３１上にはゲート絶縁膜１４０が形成されており、ゲート絶縁膜１４０上には非晶質シリコンからなる複数の線状及び島型半導体１５１、１５７が形成されている。線状半導体とはデータ線の下側などに残留する細長い半導体部分を意味し、線状半導体１５１の一部１５４a、１５４bはゲート電極１２４と重複して薄膜トランジスタのチャンネル部を形成する。チャンネル部は、ソース１７３と各ドレイン１７５ａ，１７５ｂとの間にあり、縦方向のチャンネル長が横方向のチャンネル幅よりも短くなって、大電流スイッチに適した構造である。半導体１５１、１５７上にはシリサイドまたはリンなどのN型不純物が高濃度でドーピングされた非晶質シリコンからなる複数の線状及び島型抵抗性接触部材１６１、１６５a、１６５b、１６７が形成されている。
【０１０２】
　接触部材１６１、１６５a、１６５b、１６７上には各々複数のデータ線１７１、複数対のドレーン電極１７５a、１７５b及び複数の結合電極１７７が形成されている。各データ線１７１は線状半導体１５１に沿って伸びており、それから突出していてゲート線１２１上に位置した複数のソース電極１７３を含む。一対のドレーン電極１７５a、１７５bはソース電極１７３両側に各々配置されていて、それぞれの端はゲート線１２１を中心にして上下に伸びている。
【０１０３】
　各結合電極１７７はほとんど行方向に伸びており、維持電極線１３１と一部が重なっている。
【０１０４】
　抵抗性接触部材１６１、１６５a、１６５b、１６７は半導体１５１、１５７とデータ線１７１、ドレーン電極１７５a、１７５b及び結合電極１７７が重複する部分にだけ位置する。
【０１０５】
　データ線１７１とドレーン電極１７５a、１７５bは各々線状及び島型抵抗性接触部材１６１、１６５a、１６５bと実質的に同一な平面模様を有し、線状半導体１５１はデータ線１７１とドレーン電極１７５a、１７５bの間に位置したチャンネル部１５４a、１５４bを除くとデータ線１７１及びドレーン電極１７５a、１７５bと実質的に同一な平面模様を有する。結合電極１７７は島型抵抗性接触部材１６７及び島型半導体１５７と実質的に同一な平面模様を有する。ただし、データ線などと線状半導体が 同一平面模様を有する必然性があるわけではない。使用するプロセスにより異なるが、後述のプロセス例のように、一致する場合が多いだけである。
【０１０６】
　データ線１７１、ドレーン電極１７５a、１７５b、結合電極１７７、そして線状半導体１５１のチャンネル部１５４a、１５４b上には窒化ケイ素または有機絶縁体からなる保護膜１８０が形成されている。
【０１０７】
　保護膜１８０はドレーン電極１７５a、１７５bの一端（端部接続領域）を各々露出する複数の接触孔１８３a、１８３bと結合電極１７７の一端を露出する複数の接触孔１８７を有している。保護膜１８０はまた、データ線１７１の一端部分１７９を露出する複数の接触孔１８２を有しており、保護膜１８０とゲート絶縁膜１４０はゲート線１２１の一端部分１２９を露出する複数の接触孔１８１を有している。
【０１０８】
　保護膜１８０上には複数対の画素電極１９０a、１９０bと複数の接触補助部材９１、９２が形成されている。画素電極１９０a、１９０bと接触補助部材９１、９２はITOまたはIZOなどの透明な導電物質または反射性導電物質からなる。
【０１０９】
　各対の画素電極１９０a、１９０bは接触孔１８３a、１８３bを通じてドレーン電極１７５a、１７５bと各々連結されている。ここで下側画素電極１９０aは接触孔１８７を通じて結合電極１７７と連結されており、上側画素電極１９０bは結合電極１７７と重なっている。つまり、上側画素の下側画素電極１９０aと下側画素の上側画素電極１９０bは結合電極１７７を媒介としてして容量性結合を構成している。また、上側画素の下側画素電極１９０aと下側画素の上側画素電極１９０bは維持電極線１３１を隔てて対向しており、各々維持電極線１３１と重複して維持蓄電器を構成する。
【０１１０】
　一方、下側画素電極１９０aは行方向に長く伸びている一つの線状切開部１９１を有している。下側画素電極１９０aは行方向に伸びた少なくとも一つの線状切開部をさらに有することができ、上側画素電極１９０bは列方向に伸びた少なくとも一つの線状切開部を有することができる。下側画素電極１９０aが全体画素電極面積で占める比率は３０％〜７０％になるのが好ましい。
【０１１１】
　接触補助部材９１、９２は接触孔１８１、１８２を通じて各々ゲート線１２１及びデータ線１７１の端部１２９、１７９と連結されている。
【０１１２】
　接触補助部材９１、９２付近を除いた薄膜トランジスタ表示板１００全面に配向膜１１が形成されている。
【０１１３】
　本実施例による色フィルター表示板２００の構造は基本的に図１１aに示したことと同一である。つまり、色フィルター表示板２００にはブラックマトリックス２２０、複数の色フィルター２３０、共通電極２７０、配向膜２１などが形成されている。図１０及び図１１aと異なる点は、共通電極に具備された複数対の切開部２７１、２７２、２７３の模様と位置である。一対の切開部は列方向に伸びている縦切開部２７１と行方向に伸びた二つの横切開部２７２、２７３を有している。縦切開部２７１は上側画素電極１９０bを左右に２分して二つの左右小領域に分割しており、縦切開部２７２、２７３は下側画素電極１９０aの切開部１９１両側（上下）に位置し、下側画素電極１９０aを上下に４分する位置にある。
【０１１４】
　本発明の他の実施例によれば、結合電極１７７をゲート線１２１と同一層におく。但し、この場合には維持電極線１３１が結合電極１７７に接触しないよう留意しなければならない。
【０１１５】
　以下、本発明の他の実施例によって図１６及び図１７aと図１７bの構造を有する薄膜トランジスタ表示板を製造する方法について、図１８a乃至図２０cと共に図１６、図１７a及び図１７bを参照して説明する。
【０１１６】
　図１８a乃至図１８cに示したように、透明な絶縁基板１１０上に複数のゲート線１２１と複数の維持電極線１３１を形成する。
【０１１７】
　窒化ケイ素からなるゲート絶縁膜１４０、ドーピングされなかった非晶質シリコンの半導体層１５０、ドーピングされた非晶質シリコン層１６０及び金属層１７０を化学気相蒸着法とスパッタリングなどを利用して各々１５００Å乃至５０００Å、５００Å乃至２０００Å、３００Å乃至６００Å及び１５００Å乃至３０００Åの厚さで連続蒸着した後、その上に感光膜を１μm乃至２μmの厚さで塗布する。その後、図１９b及び図１９cに示したように、光マスク（図示せず）を通じて感光膜に光を照射した後、現像する。
【０１１８】
　感光膜の厚さは位置によって異なるが、例えば、感光膜は厚さが次第に、段階的に、小さくなる第１乃至第３部分からなることができる。図１９b及び図１９cで、第１部分と第２部分は図面符号２１２と２１４で示し、第３部分に対する図面符号は付与しなかったが、これは第３部分の厚さが０、つまり、現像により完全除去されていて、下側の金属層１７０が露出されているためである。この時、感光膜２１２、２１４の厚さの比は後続工程での工程条件に応じて異なるようにしなければならず、第２部分の厚さを第１部分の厚さの１/２以下にするのが好ましく、例えば、４０００Å以下であるのがよい。
【０１１９】
　位置によって感光膜の厚さを異ならせる方法には、多様なものがあり、露光マスクに透明領域と不透明領域だけでなく半透明領域を設けるのがその例である。半透明領域はスリットパターン、格子パターンまたは中間透過率または中間厚さの薄膜を含む。スリットを使用する時にはスリットの幅やスリットの間の間隔が写真工程に使用する露光器の分解能より小さいことが好ましい。他の例としてはリフロー可能な感光膜を用いることである。透明領域と不透明領域だけを備えた通常のマスクを使用してリフローが可能な物質からなる感光膜パターンを形成した後、リフローさせて感光膜が残留しない部分にも流しこみ、厚さを平均化することによって薄い部分を形成する。
【０１２０】
　適切な工程条件を与えれば、感光膜２１２、２１４の厚み差を利用して、下部層を選択的にエッチングすることができる。
したがって、一連のエッチング段階を通じて複数のデータ線１７１、複数のドレーン電極１７５a、１７５b及び複数の結合電極１７７を形成し複数の線状及び島型抵抗性接触部材１６１、１６５a、１６５b、１６７及び複数の線状半導体１５１、１６７を形成する。
【０１２１】
　エッチング順序の一例として、作業目的別に必要な要素作業を、図１９d乃至１９iから選択して、下記に示す。
【０１２２】
　（１）光膜の第３部分の下の金属層１７０、ドーピングされた非晶質シリコン層１６０及び半導体層１５０除去（図１９d乃至図１９g）、
　（２）感光膜の第２部分２１４除去（図１９f及び図１９g）、
　（３）感光膜の第２部分２１４の下の金属層１７０及びドーピングされた非晶質シリコン層１６０除去（図１９h及び図１９i）、そして
　（４）感光膜の第１部分２１２除去。
【０１２３】
　このような順序の他の例は次の通りである。
【０１２４】
　（１）感光膜の第３部分の下の金属層１７０除去、
　（２）感光膜の第２部分２１４除去、
　（３）感光膜の第３部分の下のドーピングされた非晶質シリコン層１６０及び半導体層１５０除去、
　（４）感光膜の第２部分２１４下の金属層１７０除去、
　（５）感光膜の第１部分２１２除去、そして
　（６）感光膜の第２部分２１４下のドーピングされた非晶質シリコン層１６０除去。
【０１２５】
　感光膜の第２部分２１４を除去する時、感光膜の第１部分２１２の厚さが減るが、感光膜の第２部分２１４の厚さが感光膜の第１部分２１２より薄いために、下部層が除去されたりエッチングされることを防止する第１部分２１２が除去されない。
【０１２６】
　適切なエッチング条件を選択すれば、感光膜の第３部分の下のドーピングされた非晶質シリコン層１６０及び非晶質シリコン層１６０部分と感光膜の第２部分２１４を同時に除去することができる。これと同様に、感光膜の第２部分２１４下のドーピングされた非晶質シリコン層１６０部分と感光膜の第１部分２１２を同時に除去することができる。例えば、SF6とHClの混合気体や、SF6とO2の混合気体を用いれば、ほとんど同一なエッチング率で感光膜と半導体層１５０（またはドーピングされた非晶質シリコン層１６０）をエッチングすることができる。
【０１２７】
　金属層１７０の表面に感光膜クズが残っていれば、アッシング作業により除去する。
【０１２８】
　第１例の段階（３）または第２例の段階（４）で、半導体層１５０をエッチングする時に使用するエッチング気体の例としては、CF4とHClの混合気体やCF4とO2の混合気体があり、CF4とO2を用いると均一な厚さで半導体層１５０をエッチングすることができる。
【０１２９】
　図２０a乃至図２０cに示したように保護膜１８０を形成し、保護膜１８０をゲート絶縁膜１４０と共に写真エッチングしてゲート線１２１の端部及びデータ線１７１の端部、ドレーン電極１７５a、１７５b、そして結合電極１７７を各々露出する複数の接触孔１８１、１８２、１８３a、１８３b、１８７を形成する。
【０１３０】
　次に、図１６乃至図１７bに示したように、５００Å乃至１０００Å厚さのIZOまたはITOを蒸着し写真エッチングして接触孔１８３a、１８３b、１８７を通じてドレーン電極１７５a、１７５b及び結合電極１７７と各々連結された複数対の画素電極１９０a、１９０b、接触孔１８１、１８２を通じてゲート線１２１とデータ線１７１の露出された端部と接触補助部材９１、９２を形成する。
【０１３１】
　以上、本発明の好ましい実施例について詳細に説明したが、本発明の権利範囲はこれに限定されず、請求範囲で定義している本発明の基本概念を利用した当業者のいろいろな変形及び改良形態もまた本発明の権利範囲に属する。
【図面の簡単な説明】
【０１３２】
　添付した図面を参照して本発明の実施例について詳細に説明することにより本発明の多様な効果を明らかにする。
【図１】本発明の一つの実施例による液晶表示装置のブロック図である。
【図２】本発明の一つの実施例による液晶表示装置の等価回路図である。
【図３】本発明の実施例による液晶表示装置の概略図である。
【図４】本発明の一つの実施例による液晶表示板組立体の画素とデータ線の連結状態を示した図面である。
【図５】本発明の一つの実施例による液晶表示板組立体の隣接したデータ線に印加されるデータ信号の波形図である。
【図６】本発明の一つの実施例によって信号制御部からデータ駆動部に印加される映像信号の波形図である。
【図７】本発明の他の実施例による液晶表示板組立体の画素とデータ線の連結状態を示した図面である。
【図８】本発明の他の実施例による液晶表示板組立体の隣接したデータ線に印加されるデータ信号の波形図である。
【図９】本発明の他の実施例によって信号制御部からデータ駆動部に印加される映像信号の信号波形図である。
【図１０】本発明の一つの実施例による液晶表示板組立体の配置図である。
【図１１ａ】図１０の液晶表示板組立体をXIB-XIB’線に沿って切って示した断面図である。
【図１１ｂ】図１１aから色フィルター表示板と偏光板を除いた薄膜トランジスタ表示板の断面図である。
【図１１ｃ】図１０のXIC-XIC’線に沿って切って示した薄膜トランジスタ表示板の断面図である。
【図１２ａ】本発明の一つの実施例によって図１０、図１１b及び図１１cに示した薄膜トランジスタ表示板を製造する方法の各過程での配置図である。
【図１２ｂ】本発明の一つの実施例によって図１０、図１１b及び図１１cに示した薄膜トランジスタ表示板を製造する方法の各過程での断面図である。
【図１２ｃ】本発明の一つの実施例によって図１０、図１１b及び図１１cに示した薄膜トランジスタ表示板を製造する方法の各過程での断面図である。
【図１３ａ】本発明の一つの実施例によって図１０、図１１b及び図１１cに示した薄膜トランジスタ表示板を製造する方法の各過程での配置図である。
【図１３ｂ】本発明の一つの実施例によって図１０、図１１b及び図１１cに示した薄膜トランジスタ表示板を製造する方法の各過程での断面図である。
【図１３ｃ】本発明の一つの実施例によって図１０、図１１b及び図１１cに示した薄膜トランジスタ表示板を製造する方法の各過程での断面図である。
【図１４ａ】本発明の一つの実施例によって図１０、図１１b及び図１１cに示した薄膜トランジスタ表示板を製造する方法の各過程での配置図である。
【図１４ｂ】本発明の一つの実施例によって図１０、図１１b及び図１１cに示した薄膜トランジスタ表示板を製造する方法の各過程での断面図である。
【図１４ｃ】本発明の一つの実施例によって図１０、図１１b及び図１１cに示した薄膜トランジスタ表示板を製造する方法の各過程での断面図である。
【図１５ａ】本発明の一つの実施例によって図１０、図１１b及び図１１cに示した薄膜トランジスタ表示板を製造する方法の各過程での配置図である。
【図１５ｂ】本発明の一つの実施例によって図１０、図１１b及び図１１cに示した薄膜トランジスタ表示板を製造する方法の各過程での断面図である。
【図１５ｃ】本発明の一つの実施例によって図１０、図１１b及び図１１cに示した薄膜トランジスタ表示板を製造する方法の各過程での断面図である。
【図１６】本発明の他の実施例による液晶表示装置用薄膜トランジスタ表示板の配置図である。
【図１７ａ】図１６の薄膜トランジスタ表示板を各々XVIIA-XVIIA’線及びXVIIB-XVIIB’線に沿って切って示した断面図である。
【図１７ｂ】図１６の薄膜トランジスタ表示板を各々XVIIB-XVIIB’線及びXVIIB-XVIIB’線に沿って切って示した断面図である。
【図１８ａ】本発明の他の実施例によって図１６、図１７a及び図１７bに示した薄膜トランジスタ表示板を製造する方法の各過程での配置図である。
【図１８ｂ】本発明の他の実施例によって図１６、図１７a及び図１７bに示した薄膜トランジスタ表示板を製造する方法の各過程での断面図である。
【図１８ｃ】本発明の他の実施例によって図１６、図１７a及び図１７bに示した薄膜トランジスタ表示板を製造する方法の各過程での断面図である。
【図１９ａ】本発明の他の実施例によって図１６、図１７a及び図１７bに示した薄膜トランジスタ表示板を製造する方法の各過程での配置図である。
【図１９ｂ】本発明の他の実施例によって図１６、図１７a及び図１７bに示した薄膜トランジスタ表示板を製造する方法の各過程での断面図である。
【図１９ｃ】本発明の他の実施例によって図１６、図１７a及び図１７bに示した薄膜トランジスタ表示板を製造する方法の各過程での断面図である。
【図１９ｄ】本発明の他の実施例によって図１６、図１７a及び図１７bに示した薄膜トランジスタ表示板を製造する方法の各過程での断面図である。
【図１９ｅ】本発明の他の実施例によって図１６、図１７a及び図１７bに示した薄膜トランジスタ表示板を製造する方法の各過程での断面図である。
【図１９ｆ】本発明の他の実施例によって図１６、図１７a及び図１７bに示した薄膜トランジスタ表示板を製造する方法の各過程での断面図である。
【図１９ｇ】本発明の他の実施例によって図１６、図１７a及び図１７bに示した薄膜トランジスタ表示板を製造する方法の各過程での断面図である。
【図１９ｈ】本発明の他の実施例によって図１６、図１７a及び図１７bに示した薄膜トランジスタ表示板を製造する方法の各過程での断面図である。
【図１９ｉ】本発明の他の実施例によって図１６、図１７a及び図１７bに示した薄膜トランジスタ表示板を製造する方法の各過程での断面図である。
【図２０ａ】本発明の他の実施例によって図１６、図１７a及び図１７bに示した薄膜トランジスタ表示板を製造する方法の各過程での配置図である。
【図２０ｂ】本発明の他の実施例によって図１６、図１７a及び図１７bに示した薄膜トランジスタ表示板を製造する方法の各過程での断面図である。
【図２０ｃ】本発明の他の実施例によって図１６、図１７a及び図１７bに示した薄膜トランジスタ表示板を製造する方法の各過程での断面図である。
【符号の説明】
【０１３３】
３：液晶層
１１、２１：配向膜
１２、２２：偏光板
９１、９２：接触補助部材
１００：薄膜トランジスタ表示板
１１０：絶縁基板
１２１：ゲート線
１２４：ゲート電極
１２９：ゲート線端部
１３１：維持電極線
１４０：ゲート絶縁膜
１５１：線状半導体
１５４：島型半導体
１６０：非晶質シリコン層
１６３、１６５a、１６５b：抵抗性接触部材
１７１：データ線
１７３：ソース電極
１７５a、１７５b：ドレーン電極対
１７７：結合電極
１７９：データ線端部
１８０：保護膜
１８１、１８２、１８３ａ、１８３ｂ、１８７：接触孔
１９０a、１９０b：画素電極
１９１、１９２、１９３：線状切開部
２００：色フィルター表示板
２１０：絶縁基板
２１２：第１部分
２１４：第２部分
２２０：ブラックマトリックス
２３０：色フィルター
２５０：オーバーコート膜
２７０：共通電極
２７１、２７２、２７３、２７４：線状切開部
３００：液晶表示板組立体
４００：ゲート駆動部
４１０：ゲートFPC基板
４４０：ゲート駆動IＣ
４５０、５５０：印刷回路基板
５１１、５１３、５１２：データFPC基板
５２２、５２２a、５２２b：信号線
５４１、５４２、５４３：データ駆動IC
５００：データ駆動部
６００：信号制御部
７００：駆動電圧生成部
８００：階調電圧生成部
CONT１：ゲート制御信号
CONT２：データ制御信号
CLC１、CLC２：液晶蓄電器
CST１、CST２：維持蓄電器
Cpp：結合蓄電器
D０-Dm：データ線
G１-Gn：ゲート線
Pi,j：画素
Vcom：共通電圧
Von：ゲートオン電圧
Voff：ゲートオフ電圧
Q１、Q２：スイッチング素子
【図１】
2004054295.tif 000003
【図２】
2004054295.tif 000004
【図３】
2004054295.tif 000005
【図４】
2004054295.tif 000006
【図５】
2004054295.tif 000007
【図６】
2004054295.tif 000008
【図７】
2004054295.tif 000009
【図８】
2004054295.tif 000010
【図９】
2004054295.tif 000011
【図１０】
2004054295.tif 000012
【図１１ａ】
2004054295.tif 000013
【図１１ｂ】
2004054295.tif 000014
【図１１ｃ】
2004054295.tif 000015
【図１２ａ】
2004054295.tif 000016
【図１２ｂ】
2004054295.tif 000017
【図１２ｃ】
2004054295.tif 000018
【図１３ａ】
2004054295.tif 000019
【図１３ｂ】
2004054295.tif 000020
【図１３ｃ】
2004054295.tif 000021
【図１４ａ】
2004054295.tif 000022
【図１４ｂ】
2004054295.tif 000023
【図１４ｃ】
2004054295.tif 000024
【図１５ａ】
2004054295.tif 000025
【図１５ｂ】
2004054295.tif 000026
【図１５ｃ】
2004054295.tif 000027
【図１６】
2004054295.tif 000028
【図１７ａ】
2004054295.tif 000029
【図１７ｂ】
2004054295.tif 000030
【図１８ａ】
2004054295.tif 000031
【図１８ｂ】
2004054295.tif 000032
【図１８ｃ】
2004054295.tif 000033
【図１９ａ】
2004054295.tif 000034
【図１９ｂ】
2004054295.tif 000035
【図１９ｃ】
2004054295.tif 000036
【図１９ｄ】
2004054295.tif 000037
【図１９ｅ】
2004054295.tif 000038
【図１９ｆ】
2004054295.tif 000039
【図１９ｇ】
2004054295.tif 000040
【図１９ｈ】
2004054295.tif 000041
【図１９ｉ】
2004054295.tif 000042
【図２０ａ】
2004054295.tif 000043
【図２０ｂ】
2004054295.tif 000044
【図２０ｃ】
2004054295.tif 000045